(57)【特許請求の範囲】
【請求項１】
田圃の地下に敷設され、田圃に供給される灌漑用水を排水路に排水する下流端部を水閘によって開閉される暗渠管に付設した田圃での水位調節装置において、
上記暗渠管の途中に地下で一端を接続した取水管と、
上端が田圃の地表上に位置する縦筒を横筒の途中に備え、取水管の他端が、上記横筒の閉塞した一端部を貫通して内部に突入する地中に埋設された逆Ｔ字形の継手筒と、
上記継手筒内で取水管の他端と連結し、継手筒の縦筒よりも小径で、上記縦筒の内部を上昇し、開放した上端が縦筒の途中で終わる上向き管と、
上記上向き管の上端に取付けられた上下方向に可動な水位調節管と、
上記縦筒の上端から内部の水位調節管を上下方向に動かし、水位調節管の上端の位置を田圃の水位設定レベルに調節する操作装置とを備え、
上記操作装置は、
縦筒の上端を開閉可能に塞ぐ蓋と、
水位調節管の上端部に設けられた放射状の連結板の中心部上に固定された雄ねじ筒と、
上記蓋の下面に取外し可能に取り付けられて下がり、上記雄ねじ筒の中空部と連結板を貫通する操作ロッドと、
雄ねじ筒に上から被さってねじ係合した袋ナットと、
袋ナットの内部に位置し、袋ナットを雄ねじ筒に対してねじ込むことにより圧迫されて操作ロッドを回りから不動に締付けるＯリングとからなり、
上記継手筒の横筒の他端を排水路に接続した、
ことを特徴とする田圃での水位調節装置。
【請求項２】
田圃の地下に敷設され、田圃に供給される灌漑用水を排水路に排水する下流端部を水閘によって開閉される暗渠管に付設した田圃での水位調節装置において、
上端が田圃の地表上に位置する縦筒を横筒の途中に備え、上記横筒の一端が暗渠管の途中に地下で接続している地中に埋設された逆Ｔ字形の継手筒と、
上記継手筒の縦筒よりも小径で、上記縦筒の内部を上昇し、開放した上端が縦筒の途中で終わる上向き管と、
上記上向き管の上端に取付けられた上下方向に可動な水位調節管と、
上記縦筒の上端から内部の水位調節管を上下方向に動かし、水位調節管の上端の位置を田圃の水位設定レベルに調節する操作装置とを備え、
上記操作装置は、
縦筒の上端を開閉可能に塞ぐ蓋と、
水位調節管の上端部に設けられた放射状の連結板の中心部上に固定された雄ねじ筒と、
上記蓋の下面に取外し可能に取り付けられて下がり、上記雄ねじ筒の中空部と連結板を貫通する操作ロッドと、
雄ねじ筒に上から被さってねじ係合した袋ナットと、
袋ナットの内部に位置し、袋ナットを雄ねじ筒に対してねじ込むことにより圧迫されて操作ロッドを回りから不動に締付けるＯリングとからなり、
上記上向き筒の下端を、継手筒の横筒の閉じた他端を貫通する連絡管で排水路に接続した、
ことを特徴とする田圃での水位調節装置。
【請求項３】
田圃の地下に敷設され、田圃に供給される灌漑用水を排水路に排水する下流端部を水閘によって開閉される暗渠管に付設した田圃での水位調節装置において、
上記暗渠管の途中に地下で一端を接続した取水管と、
上端が田圃の地表上に位置する縦筒を横筒の途中に備え、取水管の他端が、上記横筒の閉塞した一端部を貫通して内部に突入する地中に埋設された逆Ｔ字形の継手筒と、
上記継手筒内で取水管の他端と連結し、継手筒の縦筒よりも小径で、上記縦筒の内部を上昇し、開放した上端が縦筒の途中で終わる上向き管と、
上記上向き管の上端に取付けられた上下方向に可動な水位調節管と、
上記縦筒の上端から内部の水位調節管を上下方向に動かし、水位調節管の上端の位置を田圃の水位設定レベルに調節する操作装置とを備え、
上記操作装置は、
水位調節管の上端部に設けられた放射状の連結板の中心に下端を固定して垂直に立ち、縦筒の上端から上に突出する操作ロッドと、
縦筒の内部上方に放射状に固定され、その中心部を上記操作ロッドが貫通する固定板と、
上記固定板上に固定され、中空部を上記操作ロッドが貫通する雄ねじ筒と、
雄ねじ筒に上から被さってねじ係合した袋ナットと、
袋ナットの内部に位置し、袋ナットを雄ねじ筒に対してねじ込むことにより圧迫されて操作ロッドを回りから不動に締め付けるＯリングとからなり、
上記継手筒の横筒の他端を排水路に接続した、
ことを特徴とする田圃での水位調節装置。
【請求項４】
田圃の地下に敷設され、田圃に供給される灌漑用水を排水路に排水する下流端部を水閘によって開閉される暗渠管に付設した田圃での水位調節装置において、
上端が田圃の地表上に位置する縦筒を横筒の途中に備え、上記横筒の一端が暗渠管の途中に地下で接続している地中に埋設された逆Ｔ字形の継手筒と、
上記継手筒の縦筒よりも小径で、上記縦筒の内部を上昇し、開放した上端が縦筒の途中で終わる上向き管と、
上記上向き管の上端に取付けられた上下方向に可動な水位調節管と、
上記縦筒の上端から内部の水位調節管を上下方向に動かし、水位調節管の上端の位置を田圃の水位設定レベルに調節する操作装置とを備え、
上記操作装置は、
水位調節管の上端部に設けられた放射状の連結板の中心に下端を固定して垂直に立ち、縦筒の上端から上に突出する操作ロッドと、
縦筒の内部上方に放射状に固定され、その中心部を上記操作ロッドが貫通する固定板と、
上記固定板上に固定され、中空部を上記操作ロッドが貫通する雄ねじ筒と、
雄ねじ筒に上から被さってねじ係合した袋ナットと、
袋ナットの内部に位置し、袋ナットを雄ねじ筒に対してねじ込むことにより圧迫されて操作ロッドを回りから不動に締め付けるＯリングとからなり、
上記上向き筒の下端を、継手筒の横筒の閉じた他端を貫通する連絡管で排水路に接続した、
ことを特徴とする田圃での水位調節装置。
【請求項５】
請求項１から請求項４のどれか１項に記載の田圃での水位調節装置において、
操作ロッドの外面には水位レベルを示す目盛りが設けてある、
ことを特徴とする田圃での水位調節装置。
【発明の詳細な説明】
【０００１】
【発明の属する技術分野】
この発明は稲作をしている水田や、水田を休耕田にし、各種の野菜や花卉などを栽培するための田圃における水位調節装置に関する。
【０００２】
【従来の技術】
稲作をする水田の地中には、田圃に供給された灌漑用水の、地下に浸透した地下水を、畦に沿ったＵ字溝などの排水路に排水する暗渠管が敷設してあり、この暗渠管の下流端部には水閘を設け、暗渠管を開閉するようにしてある。尚、水閘は周知のように、本特許出願人が提案した実公昭６０−１１９４２号公報、特開平７−１３３６０８号公報に記載された構成を備え、畦の上から垂直に下がる操作杆を上下動し、操作杆の下端に設けた栓体を降下して暗渠管を閉じたり、栓体を引き上げて暗渠管を開く縦型（実公昭６０−１１９４２号公報）や、排水路に開口した暗渠管の下流端部に設けた栓体を排水路の内側から操作し、暗渠管の下流端を閉じたり、開いたりする横型（特開平７−３０３２７２号公報）がある。
【０００３】
稲の幼苗の植え付け時、或いはその生育時には水閘で暗渠管を閉じ、田圃に供給される灌漑用水の水位を田面（田圃の地表面）上、約１０ｃｍくらいに保って、稲の苗を成長させ、成長したら水閘を開き、田面上の灌漑用水、その地下水を一緒に暗渠管から排水路に放出し、水田を干上げて生育した稲を刈り取る。
【０００４】
休耕田にした水田で野菜や花卉（総称して植物とも記す。）を栽培して収穫を向上するには、田圃の地中の水位を栽培すべき植物の根に適応させる必要がある。つまり、根を地中に深く降ろす根菜類などには地中の水位を深くし、葉菜類など根が浅いものには地中の水位を浅くすると共に、それまで栽培して収穫した植物とは別の植物を栽培するには、地中の水位を新しい植物が地中に降ろす根の深さに適応したレベルに変更する必要がある。又、稲を生育する際でも、水位を田面上、２０ｃｍ程度に上げ、幼苗を水没させて霜から保護する深水や、田圃の地下の水位を根よりも深く下げて根の発育を促進し、収穫量の向上を図る中干しなど、水位を変動させる必要がある。
【０００５】
【発明が解決しようとする課題】
上述した田圃の保つ水位のレベル調整は、前述した水閘の栓体で暗渠管の開度を調節し、暗渠管から排水路に排出される水量を変化させて行うことができる。しかし、水閘の開度を調節しても、田圃の実際の水位がどのレベルになっているのかを知ることは不可能であり、その上、暗渠管中を流れる水の流量は変動するので、変動に応じて水位のレベルも変化し、栽培中の植物を過湿により根ぐされで枯らしたり、水不足で枯死させたりして収穫量が希望していた量よりも過少になる事態が生じる。又、稲の苗の深水や、中干し、特に中干しの水位のレベルを正確に保つことはできない。
【０００６】
【課題を解決するための手段】
この発明は上述した問題点を解消するために開発されたもので、請求項１は、田圃の地下に敷設され、田圃に供給される灌漑用水を排水路に排水する下流端部を水閘によって開閉される暗渠管に付設した田圃での水位調節装置において、上記暗渠管の途中に地下で一端を接続した取水管と、上端が田圃の地表上に位置する縦筒を横筒の途中に備え、取水管の他端が、上記横筒の閉塞した一端部を貫通して内部に突入する地中に埋設された逆Ｔ字形の継手筒と、上記継手筒内で取水管の他端と連結し、継手筒の縦筒よりも小径で、上記縦筒の内部を上昇し、開放した上端が縦筒の途中で終わる上向き管と、上記上向き管の上端に取付けられた上下方向に可動な水位調節管と、上記縦筒の上端から内部の水位調節管を上下方向に動かし、水位調節管の上端の位置を田圃の水位設定レベルに調節する操作装置とを備え、上記操作装置は、縦筒の上端を開閉可能に塞ぐ蓋と、水位調節管の上端部に設けられた放射状の連結板の中心部上に固定された雄ねじ筒と、上記蓋の下面に取外し可能に取り付けられて下がり、上記雄ねじ筒の中空部と連結板を貫通する操作ロッドと、雄ねじ筒に上から被さってねじ係合した袋ナットと、袋ナットの内部に位置し、袋ナットを雄ねじ筒に対してねじ込むことにより圧迫されて操作ロッドを回りから不動に締付けるＯリングとからなり、上記継手筒の横筒の他端を排水路に接続したことを特徴とする。
又、請求項２は、田圃の地下に敷設され、田圃に供給される灌漑用水を排水路に排水する下流端部を水閘によって開閉される暗渠管に付設した田圃での水位調節装置において、上端が田圃の地表上に位置する縦筒を横筒の途中に備え、上記横筒の一端が暗渠管の途中に地下で接続している地中に埋設された逆Ｔ字形の継手筒と、上記継手筒の縦筒よりも小径で、上記縦筒の内部を上昇し、開放した上端が縦筒の途中で終わる上向き管と、上記上向き管の上端に取付けられた上下方向に可動な水位調節管と、上記縦筒の上端から内部の水位調節管を上下方向に動かし、水位調節管の上端の位置を田圃の水位設定レベルに調節する操作装置とを備え、上記操作装置は、縦筒の上端を開閉可能に塞ぐ蓋と、水位調節管の上端部に設けられた放射状の連結板の中心部上に固定された雄ねじ筒と、上記蓋の下面に取外し可能に取り付けられて下がり、上記雄ねじ筒の中空部と連結板を貫通する操作ロッドと、雄ねじ筒に上から被さってねじ係合した袋ナットと、袋ナットの内部に位置し、袋ナットを雄ねじ筒に対してねじ込むことにより圧迫されて操作ロッドを回りから不動に締付けるＯリングとからなり、上記上向き筒の下端を、継手筒の横筒の閉じた他端を貫通する連絡管で排水路に接続したことを特徴とする。
又、請求項３は、田圃の地下に敷設され、田圃に供給される灌漑用水を排水路に排水する下流端部を水閘によって開閉される暗渠管に付設した田圃での水位調節装置において、上記暗渠管の途中に地下で一端を接続した取水管と、上端が田圃の地表上に位置する縦筒を横筒の途中に備え、取水管の他端が、上記横筒の閉塞した一端部を貫通して内部に突入する地中に埋設された逆Ｔ字形の継手筒と、上記継手筒内で取水管の他端と連結し、継手筒の縦筒よりも小径で、上記縦筒の内部を上昇し、開放した上端が縦筒の途中で終わる上向き管と、上記上向き管の上端に取付けられた上下方向に可動な水位調節管と、上記縦筒の上端から内部の水位調節管を上下方向に動かし、水位調節管の上端の位置を田圃の水位設定レベルに調節する操作装置とを備え、上記操作装置は、水位調節管の上端部に設けられた放射状の連結板の中心に下端を固定して垂直に立ち、縦筒の上端から上に突出する操作ロッドと、縦筒の内部上方に放射状に固定され、その中心部を上記操作ロッドが貫通する固定板と、上記固定板上に固定され、中空部を上記操作ロッドが貫通する雄ねじ筒と、雄ねじ筒に上から被さってねじ係合した袋ナットと、袋ナットの内部に位置し、袋ナットを雄ねじ筒に対してねじ込むことにより圧迫されて操作ロッドを回りから不動に締め付けるＯリングとからなり、上記継手筒の横筒の他端を排水路に接続したことを特徴とする。
又、請求項４は、田圃の地下に敷設され、田圃に供給される灌漑用水を排水路に排水する下流端部を水閘によって開閉される暗渠管に付設した田圃での水位調節装置において、上端が田圃の地表上に位置する縦筒を横筒の途中に備え、上記横筒の一端が暗渠管の途中に地下で接続している地中に埋設された逆Ｔ字形の継手筒と、上記継手筒の縦筒よりも小径で、上記縦筒の内部を上昇し、開放した上端が縦筒の途中で終わる上向き管と、上記上向き管の上端に取付けられた上下方向に可動な水位調節管と、上記縦筒の上端から内部の水位調節管を上下方向に動かし、水位調節管の上端の位置を田圃の水位設定レベルに調節する操作装置とを備え、上記操作装置は、水位調節管の上端部に設けられた放射状の連結板の中心に下端を固定して垂直に立ち、縦筒の上端から上に突出する操作ロッドと、縦筒の内部上方に放射状に固定され、その中心部を上記操作ロッドが貫通する固定板と、上記固定板上に固定され、中空部を上記操作ロッドが貫通する雄ねじ筒と、雄ねじ筒に上から被さってねじ係合した袋ナットと、袋ナットの内部に位置し、袋ナットを雄ねじ筒に対してねじ込むことにより圧迫されて操作ロッドを回りから不動に締め付けるＯリングとからなり、上記上向き筒の下端を、継手筒の横筒の閉じた他端を貫通する連絡管で排水路に接続したことを特徴とする。
この場合、操作ロッドの外面には水位レベルを示す目盛りを付しておくことが好ましい。
【０００７】
【発明の実施の形態】
図示の各実施例において、２は田圃１の地下に敷設され、地中を浸透して管内に流入した水を畦５に沿って設けた排水路３に排水する暗渠管を示し、４は上記暗渠管の下流端部を開閉する水閘であり、図では前述した縦型のものを示したが、勿論、横型のものであってもよい。
【０００８】
図１は請求項１の田圃での地下水位調節装置の一実施例、図２は請求項２の一実施例であり、両実施例に共通して使用され、地中に埋設される逆Ｔ字形の継手筒６は、両端が閉じた横筒７と、横筒７の途中から垂直に上に延び、上端が田圃の地表面や、畦５上に露出する縦筒８とを有し、例えば鋼管や、塩化ビニール管をＴ形に接合して構成されている。
【０００９】
請求項１の実施例は、地中の暗渠管２の途中に地下で一端を接続し、他端部が前記継手管の横筒７の閉塞した一端部７ａを貫いて内部に突入した取水管１１と、継手筒の縦筒８より直径が小さく、継手筒の横筒の内部で上記取水管１１の他端と連結して縦筒の内部を上昇し、開放した上端が縦筒の内部の途中で終わる上向き管１２と、上向き管の上端に取付けられた上下方向に可動な水位調節管１３と、上記縦筒の内部の水位調節管を上下方向に動かし、水位調節管の上端の位置を田圃の水位設定レベルに調節する操作装置９とを備え、上記継手筒の横筒の閉じた他端部７ｂを連絡管１４が排水路３に接続する。
【００１０】
取水管１１と上向き管１２はＬ形の一体の管であってもよいし、横筒７の内部の、縦筒８の下方で直角エルボにより連結した別々の管でもよい。
【００１１】
取水管１１から上向き管１２、水位調節管１３中を上向流した水は水位調節管１３の上端から外に溢れ、該管１３、及び上向き管１２の外周と、縦筒８の内周との間に形成された筒状空間１５中を流れ落ち、横筒の他端部に接続した連絡管１４で排水路３に排水される。
【００１２】
このように水閘で閉じられた暗渠管中を流れる水は、取水管１１、上向き管１２、水位調節管１３中を上向流したのち水位調節管１３の上端から外に溢れ、筒状空間１５、連絡管１４を経て排水路３に排水されるので、田圃での水位は水位調節管１３の上端と同レベルになる。従って、水位調節管の高さを操作装置９で変えることにより田圃の水位を所望のレベルに変化させることができる。操作装置９の構成は、請求項１、請求項２のどちらにも共通するので、後述する。
【００１３】
請求項２の実施例は、地中の暗渠管２の途中に地下で一端を接続し、他端部が前記継手管の横筒７の閉塞した一端部７ａから横筒の内部に浅く突入した取水管２１と、継手筒の縦筒８より直径が小さく、上記縦筒の内部を上昇し、開放した上端が縦筒の内部の途中で終わる上向き管２２と、上向き管の上端に取付けられた上下方向に可動な水位調節管２３と、上記縦筒の上端から内部の水位調節管を上下方向に動かし、水位調節管の上端の位置を田圃の地中の水位を設定レベルに調節する操作装置９とを備え、上記継手筒の横筒の内部で上向き管２２の下端と連結し、横筒の閉塞した他端部を貫通する連絡管２４により上向き管２２を排水路３に接続する。
【００１４】
上向き管２２と連絡管２４はＬ形の一体の管であってもよいし、横筒７の内部の、縦筒８の下方で直角エルボにより連結した別々の管でもよい。
【００１５】
取水管２１から横筒の内部に流入した水は、上向き管２２、及び水位調節管２３の外周と、縦筒８の内周との間に形成された筒状空間２５中を上向流し、水位調節管２３の内部に上端から溢入し、該管２３、上向き管２２の内部を流れ落ち、横筒の他端部７ｂを貫通した連絡管２４で排水路３に排水される。
【００１６】
このように水閘で閉じられた暗渠管中を流れる水は、横筒の内部から上向き管２２、水位調節管２３の外周と縦筒８の内周とで形成された筒状空間２５中を上向流したのち水位調節管２３の上端から該管の内部に溢れ入り、上向き管２２、連絡管２４を経て排水路３に排水されるので、田圃での水位は水位調節管２３の上端と同レベルになる。従って水位調節管の高さを操作装置９で変えることにより田圃の水位を所望のレベルに変化させることができる。
【００１７】
上向き管１２，２２の上端に取付けられ、操作装置９によって上端の位置を調節し、調節された上端の位置により田圃の水位レベルを決定する上下方向に可動な水位調節管１３，２３は図１、図２に示した蛇腹式に上下方向に伸縮可能なベローズ３１であってもよいし、図５に示した上下動可能に嵌合した複数のスライド管３２−１，３２−２，３２−３であってもよい。
【００１８】
操作装置９によって水位調節管１３，２３、図１ではベローズ３１の上端を上下動させるため、水位調節管の上端に連結板３３を放射方向、例えば直径方向に固定する（図１拡大図参照）。この連結板３３は放射方向に固定してあるので図１の実施例のように水位調節管中を上昇した水が上端から外の筒状空間１５に溢れ出たり、図２の実施例のように筒状空間２５中を上昇した水が上端から水位調節管中に溢れ入るのにはまったく支障がない。
【００１９】
図３の操作装置９は、上記連結板３３の中心に下端を固定して垂直に立ち、地上の縦筒８の上端に取り外し可能に取り付けた蓋３４の中心孔３５を貫いて上に突出する操作ロッド４１と、縦筒８の内部上方に放射状、例えば直径方向に固定され、その中心の孔を上記操作ロッド４１が貫通する固定板４２と、中空部を備え、その中空部を上記固定板４２の中心の孔と連通した状態で固定板上に固定された雄ねじ筒４３と、雄ねじ筒に上から被さってねじ係合した袋ナット４４と、上記袋ナットの内部に位置して上記雄ねじ筒４３と袋ナット４４との間に配置されたＯリング４５とからなる。
【００２０】
そして前記連結板３３の中心から立つ操作ロッド４１は、固定板４２の中心孔、雄ねじ筒４３の中空部、Ｏリング４５、袋ナット４４の内部を通り、その際、袋ナット４４を雄ねじ筒の外周の雄ねじに対して強くねじ込むとＯリング４５は袋ナットで回りから圧迫され、操作ロッド４１を回りから締め付けて操作ロッドを固定板４２に対して上下動不能に把持する。この操作ロッド４１には上下方向に、水位調節管の上端の位置に対応した水位を示す目盛り４６を記しておくことが好ましい。
【００２１】
水位調節管の上端の位置を所定の水位レベルに調節するには、蓋３４を縦筒８の上端から外し、蓋を操作ロッド沿いに引き上げて中心孔３５を操作ロッドの上端から上に抜いて操作ロッドの上端から蓋を外す。次いで縦筒８の上端から、袋ナット４４を弛めてＯリング４５による操作ロッドの回りからの締付けを止め、操作ロッドを雄ねじ筒の中空部沿いに上下動して水位調節管を上に伸ばしたり、或いは下に縮ませることにより水位調節管の上端の位置を変え、水位調節管の上端の位置が所望のレベルになったら、再び袋ナット４４を雄ねじ筒４３に強くねじ込み、Ｏリング４５で操作ロッド４１を回りから締め付けて固定し、水位調節管の上端の位置を所望の水位レベルにする。
【００２２】
前述したように、操作ロッド４１に水位レベルを示す目盛り４６を付して、目盛り４６のどれを袋ナット４４の上端に位置させるかによって、水位調節管１３，２３の上端を所望の水位レベルにすることができるようにすると、調節作業を迅速、且つ容易に行うことができる。水位調節管を上下に伸縮して水位レベルを上下に変化させることができる範囲は、田圃の田面上３０ｃｍ程から、地下７０ｃｍ程の上下方向に１ｍ程度でよく、水位調節管の上端を最上昇位置にしたときは、水位レベルは田圃の田面面から上になり、休耕田を水田として再び稲作に使用できるようにしておくことが好ましい。
【００２３】
こうして水位調節管１３，２３の上端の位置を所望の水位レベルに調節したら、縦筒８の上端から上に突出する操作ロッド４１に蓋３４の中心孔３５を上から嵌め、操作ロッド４１沿いに蓋３４を引き下げ、蓋３４を縦筒８の上端に被せる。
【００２４】
上記した図３の操作装置９では水位調節管１３，２３の上端の位置を上にする程、蓋３４の中心孔から上に突出する操作ロッド４１の長さは長くなり、畦５の上の通行する人や、畦５の上を走行する耕運機等の障害になると共に、危険を招来することもある。従って、操作ロッド４１は上下方向に摺動可能に嵌合した伸縮可能な複数本の内外多重のパイプ材などで構成し、水位調節管の上端の位置を所望の水位レベルに調節し終わったら、長さを縮めて蓋３４の中心孔３５から上に突出する長さをできるだけ短くできるようにしておくことが好ましい。
【００２５】
図４の操作装置９は、水位調節管１３，２３の上端に放射状、例えば直径方向に固定した連結板３３の中心孔に上下方向に摺動可能に貫通し、上端部を、縦筒８の上端に着脱可能に取付けられて縦筒の上端を塞ぐ蓋３４の中心部に接着、ねじ込みなどで固定された下向きの操作ロッド５１と、連結板３３の中心孔の上に中空部を連通させて固定した雄ねじ筒５２と、上記雄ねじ筒５２に上から被さってねじ係合した袋ナット５３と、上記雄ねじ筒５２と袋ナット５３との間に配置されたＯリング５４とからなる。尚、図１、図２の実施例の操作装置には図４の構成のものを採用してある。
【００２６】
連結板３３の中心孔を上下方向に摺動可能に貫通した操作ロッド５１は雄ねじ筒５２の中空部、Ｏリング５４、袋ナット５３の内部を通り、その際、袋ナット５３を雄ねじ筒５２の外周の雄ねじに対して強くねじ込むとＯリング５４は袋ナットで回りから圧迫され、操作ロッドを回りから締め付けて操作ロッドを連結板３３に対して上下動不能に固定する。この操作は、縦筒の上端から蓋を外し、上端を蓋に固定された操作ロッド５１を引き上げて水位調節管１３，２３を上に引き伸ばし、水位調節管の上端に取付けた連結板３３を縦筒８の上端から外に出して行う。操作ロッド５１には上下方向に、水位調節管の上端の位置に対応した水位を示す目盛り５５を記しておくことが好ましい。
【００２７】
水位調節管１３，２３の上端の位置を所定の水位レベルに調節するには、図４に破線で示したように蓋３４を外し、蓋と一体に操作ロッド５１を引き上げて連結板３３ごと水位調節管１３，２３の上部を上に引き伸ばして縦筒８の上端から外に取出し、袋ナット５３を弛めてＯリング５４による操作ロッド５１の回りからの締付けを止め、操作ロッドを雄ねじ筒５２の中空部沿いに上下動して水位調節管１３，２３を上に伸ばしたり、下に縮ませることにより水位調節管の上端の位置を変え、水位調節管上端の位置が所望のレベルになったら、再び袋ナット５３を雄ねじ筒５２に強くねじ込み、Ｏリング５４で操作ロッド５１を回りから締付けて水位調節管と操作ロッドを固定し、水位調節管の上端の位置を所望の水位レベルにする。それから縦筒の外に引き出した操作ロッドと、水位調節管を縦筒の内部に収め、操作ロッドの上端部を固定した蓋３４を縦筒の上端部に被せる。この蓋３４には操作ロッドの上端部を差し込み、接着などで固定する保持筒３６を下向きに設けておくことが好ましい。
【００２８】
操作ロッド５１に水位レベルを示す目盛り５５を付しておけば、目盛り５５のどれを袋ナット５３の上端に位置させるかによって水位調節管１２，２３の上端を所望の水位レベルの位置にすることができるようにすると、調節作業を迅速、且つ容易に行うことができる。水位調節管を上下に伸縮して水位レベルを上下に変化させることができる範囲は田面の地上３０ｃｍ程から、地下７０ｃｍ程の上下方向に１ｍ程度でよく、水位調節管の上端を最上昇位置にしたときは、水位レベルは田圃の田面から上になり、休耕田を水田として再び稲作に使用できるようにしておくことが好ましい。
【００２９】
この図４の操作装置では、上端部を蓋３４に固定され、連結板３３の中心孔、その上に固定された雄ねじ筒５２の中空部を上下方向に移動自在に貫通して下がる操作ロッドの途中に、袋ナットでＯリングを回りから圧縮して操作ロッドを締め付けることにより、水位調節管の上端の位置を変化させて固定するため、操作ロッドが畦の上に突出することがない。従って、操作ロッドにつまづいて転んだり、耕運機などの農作業車の進行を妨げることがない。
【００３０】
図４の実施例では水位調節管１３，２３にベローズを使用した場合を示したが、図５に示すように上向き管１２，２２の上端に複数段の伸縮するスライド管３２−１，３２−２，３２−３を水位調節管として使用した場合にも図４の操作装置を利用することができる。又、複数段に伸縮するスライド管は図３の操作装置の水位調節管としても使用することができる。
【００３１】
【発明の効果】
以上で明らかなように本発明によれば、稲作をしている水田は勿論、休耕田にした田圃の水位を、そこに栽培すべき植物の根の深さに応じて調節することができる。従って、過湿による根ぐされで植物を枯らしたり、水不足で植物を枯死させることなく、常に適度の水分を与えて順調に生育させ、収穫量を増すことができる。そして、水位レベルの上下の調節は、操作ロッドが貫通した雄ねじ筒に上からねじ込み、内部のＯリングを回りから圧迫して操作ロッドを上下方向に不動に把持させていた袋ナットを弛め、操作ロッドを上或いは下に移動させて水位調節管の上端の位置を所定の水位レベルの位置にしたのち再び袋ナットをねじ込むことで容易に変化させることができる。
【図面の簡単な説明】
【図１】この発明の水位調節装置の一実施例の説明図と、その一部の拡大図。
【図２】この発明の水位調節装置の他の一実施例の説明図。
【図３】この発明の水位調節管（ベローズ）の上端を上下する操作装置の一例の拡大図。
【図４】この発明の水位調節管（ベローズ）の上端を上下する操作装置の他の一例の拡大図。
【図５】図４の操作装置で内外多重に嵌合したスライド管からなる水位調節管の上端を上下させる状態を示す拡大図。
【符号の説明】
１  田圃
２  暗渠管
３  排水路
４  水閘
５  畦
６  継手筒
７  継手筒の横筒
８  継手筒の縦筒
９  操作装置
１１，２１  取水管
１２，２２  上向き管
１３，２３  水位調節管
１４，２４  連絡管
１５，２５  筒状空間
３１  ベローズ
３２−１，３２−２，３２−３  スライド管
４１，５１ 操作ロッド
４２ 固定板
４３，５２ 雄ねじ筒
４４，５３ 袋ナット間
４５，５４ Ｏリング
４６，５５ 目盛り
【図１】
0003585875.tif 000002
【図２】
0003585875.tif 000003
【図３】
0003585875.tif 000004
【図４】
0003585875.tif 000005
【図５】
0003585875.tif 000006